(57)【要約】【課題】容易かつ迅速に折り畳むことができるケージ枠体を提供する。【解決手段】ケージ枠体１１は第１フレーム２２、第２フレーム２３及び分割フレーム３２、３３からなる上側フレーム体１２及び下側フレーム体１３と、両フレーム体１２、１３の各コーナ部間を繋ぐ連結フレーム１４と、両フレーム体１２、１３の間に支持される網体２４、３４等とから構成されている。また、分割フレーム３２、３３同士は第２ジョイント３８で連結されるとともに、各分割フレーム３２、３３と第１フレーム２２及び第２フレーム２３とは第１ジョイント４６で連結されている。そして、ジョイント３８、４６を介して各分割フレーム３２、３３をそれぞれケージ枠体１１内方へ折り曲げることによりケージ枠体１１が折り畳まれるようになっている。【選択図】      図１
2005027556.tif 000002
【特許請求の範囲】
【請求項１】
木製のフレームにより四角枠状に形成され、各フレームが第１回動部材を介してコーナ部で連結されることにより構成される上下一対の上側フレーム体及び下側フレーム体と、これら両フレーム体の各コーナ部間を繋ぐ連結フレームと、上側フレーム体及び下側フレーム体の各フレームの延びる方向に沿ってこれらの間に支持される複数の金属材料製の網体とを備えたケージ枠体であって、
前記上側フレーム体及び下側フレーム体の各フレームにおいて、相対向する一対のフレームは、複数に分割された分割フレームが第２回動部材を介して連結されることにより構成され、ケージ枠体を折り畳む場合には、各分割フレームを内方に折り曲げることにより折り畳み可能に構成されていることを特徴とするケージ枠体。
【請求項２】
前記第１回動部材は各コーナ部を構成すべく連結されたフレームの少なくとも一方のフレームの外端部に設けられた第１凹部に収容される第１ジョイントと、両フレームの外端部幅方向に設けられた挿入穴に挿通される第１固定部材とにより構成されるとともに、第２回動部材は各分割フレーム同士の連結部分において、少なくとも一方の分割フレームの外端部に設けられた第２凹部に収容される第２ジョイントと、両分割フレームの内端部幅方向に設けられた挿入穴に挿通される第２固定部材とにより構成され、ケージ枠体を折り畳む場合には、各固定部材を回動軸として各分割フレームが折り曲げられるように構成されている請求項１に記載のケージ枠体。
【請求項３】
前記上側フレーム体及び下側フレーム体の各フレームはそれぞれの連結部分で突き合わされ、各分割フレーム同士の当接部分の外側部には第１円弧面が対称位置に形成されるとともに、各コーナ部に位置する分割フレームの内側部には第２円弧面が形成されている請求項１又は請求項２に記載のケージ枠体。
【請求項４】
前記第１ジョイント及び第２ジョイントにはそれぞれ第２円弧面及び第１円弧面に対応した第３円弧面及び第４円弧面が設けられている請求項３に記載のケージ枠体。
【請求項５】
前記各分割フレーム同士の連結部分における回動軸は、各分割フレームの厚み方向中央部よりも外方に位置しているとともに、各コーナ部における分割フレームの回動軸は各分割フレームの厚み方向中央部よりも内方に位置している請求項１から請求項４のいずれか一項に記載のケージ枠体。
【発明の詳細な説明】
【０００１】
【発明の属する技術分野】
本発明は、例えば犬、猫等のペットの周りを囲むための折り畳み可能なケージ枠体に関するものである。
【０００２】
【従来の技術】
従来、屋内又は屋外において犬、猫等のペットの行動範囲を限定し、その逃亡を防ぐためにケージ枠体が使用される。この種のケージ枠体としては、以下に示すようなものが知られている（例えば、特許文献１参照）。すなわち、四角枠状の上側フレーム及び下側フレームの側辺の間には複数の縦棒と上下一対の横棒とからなる網体が設けられるとともに、両フレームのコーナ部間には上下方向に延びる襠付支柱が支持されているタイプのものである。
【０００３】
前記上側フレームの各コーナ部には一対の貫通孔が上下方向に設けられるとともに、下側フレームの各コーナ部には一対の突出ピンが上方向に向かって突設されている。一方、襠付支柱の上端部には前記貫通孔に対向する位置に一対の上側凹部が、下端部には突出ピンに対向する位置に一対の下側凹部が形成されている。そして、襠付支柱の下側凹部には各突出ピンが嵌挿されるとともに、上側凹部には枢支ピンがそれぞれ貫通孔を通じて挿通された状態で、両フレームが４本の襠付支柱により支持されている。
【０００４】
上記ケージ枠体を折り畳む際には、まず１つのコーナ部に位置する各枢支ピンを襠付支柱の上側凹部及び上側フレームの貫通孔から引き抜き、次いで襠付支柱を上方へ持ち上げて同襠付支柱を突出ピンから引き抜く。このとき、前記１つのコーナ部を構成する上下二対の側辺が回動可能となる。そして、これら上下二対の側辺をケージ枠体内方又は外方へ回動させ、両フレームの各側辺を交互に折り重ねる。その結果、ケージ枠体はコンパクトに折り畳まれ、その収容及び持ち運びの容易化が図られる。
【０００５】
【特許文献１】
特開平２００１―２４５５４５号公報  （第４〜６頁、図１〜５）
【０００６】
【発明が解決しようとする課題】
ところが、上記従来のケージ枠体では、枢支ピンを襠付支柱から引き抜き、一旦襠付支柱を両フレームから取り外すことにより初めて折り畳み可能な状態となる。すなわち、組立て状態のケージ枠体を折り畳む際には、まず複数の部材を抜き取る作業が必要であり、このため、折り畳み作業に手間と時間を要するという問題があった。
【０００７】
この発明は、このような従来技術に存在する問題点に着目してなされたものである。その目的とするところは、容易かつ迅速に折り畳むことができるケージ枠体を提供することにある。
【０００８】
【課題を解決するための手段】
上記の目的を達成するために、請求項１に記載の発明のケージ枠体は、木製のフレームにより四角枠状に形成され、各フレームが第１回動部材を介してコーナ部で連結されることにより構成される上下一対の上側フレーム体及び下側フレーム体と、これら両フレーム体の各コーナ部間を繋ぐ連結フレームと、上側フレーム体及び下側フレーム体の各フレームの延びる方向に沿ってこれらの間に支持される複数の金属材料製の網体とを備えたケージ枠体であって、前記上側フレーム体及び下側フレーム体の各フレームにおいて、相対向する一対のフレームは、複数に分割された分割フレームが第２回動部材を介して連結されることにより構成され、ケージ枠体を折り畳む場合には、各分割フレームを内方に折り曲げることにより折り畳み可能に構成されていることを特徴とするものである。
【０００９】
請求項２に記載の発明のケージ枠体は、請求項１に記載の発明において、前記第１回動部材は各コーナ部を構成すべく連結されたフレームの少なくとも一方のフレームの外端部に設けられた第１凹部に収容される第１ジョイントと、両フレームの外端部幅方向に設けられた挿入穴に挿通される第１固定部材とにより構成されるとともに、第２回動部材は各分割フレーム同士の連結部分において、少なくとも一方の分割フレームの外端部に設けられた第２凹部に収容される第２ジョイントと、両分割フレームの内端部幅方向に設けられた挿入穴に挿通される第２固定部材とにより構成され、ケージ枠体を折り畳む場合には、各固定部材を回動軸として各分割フレームが折り曲げられるように構成されていることを特徴とするものである。
【００１０】
請求項３に記載の発明のケージ枠体は、請求項１又は請求項２に記載の発明において、前記上側フレーム体及び下側フレーム体の各フレームはそれぞれの連結部分で突き合わされ、各分割フレーム同士の当接部分の外側部には第１円弧面が対称位置に形成されるとともに、各コーナ部に位置する分割フレームの内側部には第２円弧面が形成されていることを特徴とするものである。
【００１１】
請求項４に記載の発明のケージ枠体は、請求項３に記載の発明において、前記第１ジョイント及び第２ジョイントにはそれぞれ第２円弧面及び第１円弧面に対応した第３円弧面及び第４円弧面が設けられていることを特徴とするものである。
【００１２】
請求項５に記載の発明のケージ枠体は、請求項１から請求項４のいずれか一項に記載の発明において、前記各分割フレーム同士の連結部分における回動軸は、各分割フレームの厚み方向中央部よりも外方に位置しているとともに、各コーナ部における分割フレームの回動軸は各分割フレームの厚み方向中央部よりも内方に位置していることを特徴とするものである。
【００１３】
【発明の実施の形態】
以下、本発明の実施形態を図面に基づいて説明する。
図１に示すように、ケージ枠体１１は平面視長四角枠状をなす上側フレーム体１２及び下側フレーム体１３と、両フレーム体１２、１３の各コーナ部間を繋ぐ連結フレーム１４と、上側フレーム体１２と下側フレーム体１３との間に支持される金属材料製の網体２４、３４等とから構成されている。そして、これら上側フレーム体１２及び下側フレーム体１３、連結フレーム１４及び網体２４、３４等により、相対向する一対の長側部２１と、該長側部２１の両端からその長さ方向に直交して延びる一対の短側部３１とが構成されている。
【００１４】
まず、長側部２１について説明する。図２（ａ）〜（ｃ）に示すように、長側部２１は上側フレーム体１２及び下側フレーム体１３を構成する木製の第１フレーム２２及び第２フレーム２３と、両フレーム２２、２３の左右両端を繋ぐ連結フレーム１４と、両フレーム２２、２３間に支持される網体としての第１網体２４とから構成されている。
【００１５】
第１フレーム２２及び第２フレーム２３の左右両端部及び中間部にはそれぞれ各フレーム２２、２３の厚み方向に延びる第１ビス孔２５が螺設されている。各フレーム２２、２３の左右両端部の第１ビス孔２５よりも端部には、第１凹部としての第１収容凹部２６が形成されている。図２（ｃ）及び図６（ｂ）に示すように、この第１収容凹部２６は、各フレーム２２、２３の幅方向中央部に設けられ、後方へ開口している。
【００１６】
図２（ａ）及び図６（ｂ）に示すように、第１フレーム２２及び第２フレーム２３の左右両端部にはそれぞれ上下方向に延びる第１挿入穴２７が形成されている。各第１挿入穴２７はそれぞれ第１フレーム２２の上面及び第２フレーム２３の下面から前記第１収容凹部２６を通ってさらに下方及び上方に延びている。
【００１７】
図２（ａ）、（ｂ）に示すように、第１フレーム２２の下端部及び第２フレーム２３の上端部には、それらの長さ方向に沿って第１嵌合溝２８が凹設されている。この第１嵌合溝２８は前記第１ビス孔２５の位置では、その周囲まで形成されている。そして、両第１嵌合溝２８には第１網体２４の上下端部が嵌合されるようになっている。
【００１８】
第１網体２４は金属材料により横長四角形状に形成され、横方向に一定間隔をおいて設けられる複数の第１縦棒２４ａと、これらを補強するための上下一対の第１横棒２４ｂとより構成されるとともに、各隅部及び上下両辺の中央部が外方へ突設されている。そして、前記第１ビス孔２５に挿通された第１ビス２９により、第１網体２４が第１フレーム２２と第２フレーム２３との間に支持されている。
【００１９】
次に、短側部３１について説明する。図３（ａ）に示すように、短側部３１は分割フレームとしての一対の第１分割フレーム３２及び第２分割フレーム３３と、両分割フレーム３２、３３の間に支持される網体としての一対の第２網体３４とから構成されている。そして、各分割フレーム３２、３３の内端面同士がそれぞれ当接されることにより、上側フレーム体１２及び下側フレーム体１３の相対向する一対のフレームが構成されている。
【００２０】
図５（ｂ）に示すように、各分割フレーム３２、３３の内端部の前面にはそれぞれ第１円弧面３５が形成されている。また、図５（ａ）、（ｂ）に示すように、各分割フレーム３２、３３の内端部には第２凹部としての第２収容凹部３６が形成されている。該第２収容凹部３６は各分割フレーム３２、３３の幅方向中央部に設けられ、前方へ開口している。さらに、各分割フレーム３２、３３の内端部にはそれぞれ上下方向に延びる第２挿入穴３７が形成されている。この第２挿入穴３７は、各分割フレーム３２、３３の厚み方向中央部よりも前方（外方）に設けられている。各第２挿入穴３７は、それぞれ第１分割フレーム３２の上面及び第２分割フレーム３３の下面から前記第２収容凹部３６を通ってさらに下方及び上方に延びている。
【００２１】
図３（ａ）及び図５（ｂ）に示すように、各第２収容凹部３６には第２回動部材を構成する第２ジョイント３８が収容されている。図４（ａ）に示すように、第２ジョイント３８は金属材料により平板状に形成され、左右両側が円弧状をなすとともに、前面中央部には前記第１円弧面３５の形状に対応した一対の第４円弧面３８ａが設けられている。すなわち、第２ジョイント３８は左右対称な形状をなし、ケージ枠体１１の組立て状態では各分割フレーム３２、３３の第１円弧面３５から第２ジョイント３８の一部が突出しないようになっている。また、図４（ｂ）及び図５（ａ）に示すように、第２ジョイント３８の左右両端部にはそれぞれ前記第２挿入穴３７に連通する一対の第１貫通孔３８ｂが透設されている。
【００２２】
そして、各第２挿入穴３７を通じて第１貫通孔３８ｂには第２固定部材としての第２ビス３９が螺入されることにより各分割フレーム３２、３３同士が連結されるとともに、それらが第２ビス３９を回動軸として回動可能に支持されている。
【００２３】
図３（ａ）、（ｂ）に示すように、各第１分割フレーム３２及び第２分割フレーム３３の左右両端部には各分割フレーム３２、３３の厚み方向に延びる第２ビス孔４０が螺設されている。また、各第１分割フレーム３２の下端部及び第２分割フレーム３３の上端部にはそれらの長さ方向に沿って第２嵌合溝４１が凹設されている。この第２嵌合溝４１は前記第２ビス孔４０の位置では、その周囲まで形成されている。そして、両第２嵌合溝４１には第２網体３４の上下端部が嵌合されるようになっている。
【００２４】
第２網体３４は金属材料により四角形状に形成され、横方向に一定間隔をおいて設けられる複数の第２縦棒３４ａと、これらを補強するための上下一対の第２横棒３４ｂとより構成され、各隅部が外方へ突出している。そして、前記第２ビス孔４０に挿通された第３ビス４２により、第２網体３４が第１分割フレーム３２と第２分割フレーム３３との間に支持されている。
【００２５】
一方、図３（ｂ）に示すように、各第１分割フレーム３２及び第２分割フレーム３３の外端部の後面にはそれぞれ第２円弧面４３が形成されている。また、各分割フレーム３２、３３の外端部にはそれぞれ第１凹部としての第３収容凹部４４が凹設されている。図３（ｂ）及び図６（ｃ）に示すように、この第３収容凹部４４は各分割フレーム３２、３３の幅方向中央部に設けられ、後方へ開口している。さらに、各分割フレーム３２、３３の外端部にはそれぞれ上下方向に延びる第３挿入穴４５が形成されている。
【００２６】
図３（ａ）、（ｂ）に示すように、各第３挿入穴４５は、分割フレーム３２、３３の厚み方向中央部よりも後方（内方）に設けられ、それぞれ第１分割フレーム３２の上面及び第２分割フレーム３３の下面から前記第３収容凹部４４を通ってさらに下方及び上方に延びている。
【００２７】
そして、図６（ａ）に示すように、両分割フレーム３２、３３の外端面が第１フレーム２２及び第２フレーム２３の内側面に当接した状態で、これらの第１収容凹部２６に第１回動部材としての第１ジョイント４６の一端部が、各分割フレーム３２、３３の第３収容凹部４４に他端部が収容されている。図４（ｃ）に示すように、第１ジョイント４６は金属材料により平板状に形成され、左右両側が円弧状をなすとともに、前面中央部より僅かに右方には分割フレーム３２、３３の第２円弧面４３の形状に対応した第３円弧面４６ａが形成されている。すなわち、第１ジョイント４６は左右非対称な形状をなし、図６（ａ）に示すように、ケージ枠体１１の組立て状態では各分割フレーム３２、３３の第２円弧面４３から第１ジョイント４６の一部が突出しないようになっている。
【００２８】
第１ジョイント４６の左右両端部にはそれぞれ第１、第２フレーム２３の第１挿入穴２７及び各分割フレーム３２、３３の第３挿入穴４５に連通する一対の第２貫通孔４６ｂが透設されている。これら各挿入穴２７、４５を通じて両第２貫通孔４６ｂに第１固定部材としての第４ビス４７が螺入されることにより、各分割フレーム３２、３３と第１フレーム２２及び第２フレーム２３とが連結され、各コーナ部が構成されている。そして、各コーナ部において、分割フレーム３２、３３の外端部に位置する第４ビス４７を回動軸として各分割フレーム３２、３３が回動可能に支持されている。
【００２９】
また、第２フレーム２３の第１挿入穴２７及び第２分割フレーム３３の第３挿入穴４５に挿通される各第４ビス４７の頭部には図示しない合成樹脂製のキャップが取り付けられ、このキャップにより組立て状態のケージ枠体１１の滑りが抑制されるようになっている。
【００３０】
次に、前記ケージ枠体の作用について以下に記載する。
さて、組立て状態のケージ枠体１１を折り畳む場合には、両短側部３１において、まず図７に示すように、各第２ビス３９を回動軸として一対の第１分割フレーム３２及び第２分割フレーム３３をそれぞれケージ枠体内方へ折り曲げる。このとき、各分割フレーム３２、３３の回動軸はそれらの厚み方向中央部よりも前方に位置しているため、各分割フレーム３２、３３の内端面同士の間で回動が規制されることがない。加えて、各分割フレーム３２、３３は第１円弧面３５同士が転動しながら滑らかに折り曲げられる。
【００３１】
これと同時に各コーナ部においても、両分割フレーム３２、３３は、第４ビス４７を回動軸として前記第２円弧面４３が第１フレーム２２及び第２フレーム２３の内側面上を転動しながら、これらの内側面に近づく方向へ回動する。このとき、各分割フレーム３２、３３の回動軸はそれらの厚み方向中央部よりも後方に位置している。このため、各分割フレーム３２、３３と第１、第２フレーム２２、２３との当接部分において、分割フレーム３２、３３の外端面と各フレーム２２、２３の内側面との間で回動が規制されることなく、各分割フレーム３２、３３が滑らかに折り曲げられる。
【００３２】
そして、図８に示すように、各分割フレーム３２、３３の外側面同士を当接させるとともに、これらの内側面を第１フレーム２２及び第２フレーム２３の内側面に当接させる。このとき、ケージ枠体１１は、各ジョイント３８、４６を介して連結されるフレーム２２、２３、３２、３３同士が当接した状態で、平板状にコンパクトに折り畳まれる。
【００３３】
折り畳み状態のケージ枠体１１を組立てる際には、まず各第１フレーム２２及び第２フレーム２３を外方へ押し広げる。すると、これに伴って第１分割フレーム３２及び第２分割フレーム３３が各ビス３９、４７を回動軸として外方へ回動する。そして、第１フレーム２２及び第２フレーム２３の長さ方向に対して各分割フレーム３２、３３が直交するまでこれらを回動させる。
【００３４】
このようにして組立てられたケージ枠体１１内には犬、猫等のペットが入れられ、各網体により逃亡が防止される。
前記の実施形態によって発揮される効果について、以下に記載する。
【００３５】
・  実施形態のケージ枠体１１では、一対の分割フレーム３２、３３が第２ジョイント３８で連結されるとともに、各分割フレーム３２、３３と第１、第２フレーム２３とが第１ジョイント４６で連結されることにより上側フレーム体１２及び下側フレーム体１３が構成されている。そして、各分割フレーム３２、３３をそれぞれケージ枠体１１内方へ折り曲げるというワンタッチ操作によりケージ枠体１１が折り畳まれる。このため、ケージ枠体１１を折り畳む場合に複数の部材を抜き取る作業が必要である従来構成と比べて、容易かつ迅速に折り畳むことができる。
【００３６】
・  前記第２ジョイント３８は各分割フレーム３２、３３の内端部に設けられた第２収容凹部３６に収容され、第２ビス３９を介して分割フレーム３２、３３内に固定されている。また、第１ジョイント４６は第１、第２フレーム２３に設けられた第１収容凹部２６及び各分割フレーム３２、３３の外端部に設けられた第３収容凹部４４に収容され、第４ビス４７を介して各コーナ部内に固定されている。すなわち、ケージ枠体１１を折り畳む場合には、第２ビス３９及び第４ビス４７を回動軸として各分割フレーム３２、３３をケージ枠体１１内方へ容易に回動させることができる。
【００３７】
・  各分割フレーム３２、３３及び第１、第２フレーム２２、２３はそれぞれの連結部分で突き合わされ、各分割フレーム３２、３３の内端部の前面には第１円弧面３５が、外端部の後面には第２円弧面４３が形成されている。そして、ケージ枠体１１を折り畳む場合には、各分割フレーム３２、３３は両円弧面３５、４３に案内された状態で滑らかに折り曲げられ、その結果、各分割フレーム３２、３３をケージ枠体１１内方へ容易に回動させることができる。
【００３８】
・  第２ジョイント３８及び第１ジョイント４６にはそれぞれ第４円弧面３８ａ及び第３円弧面４６ａが設けられ、組立て状態のケージ枠体１１では、各分割フレーム３２、３３の円弧面３５、４３から各ジョイント３８、４６の一部が突出しないようになっている。このため、ケージ枠体１１を組立てる場合又は折り畳む場合等に取扱者が両ジョイント３８、４６に触れることがなく、取り扱い性の容易化を図ることができる。
【００３９】
・  第２ビス３９は各分割フレーム３２、３３の厚み方向中央部より前方に、各分割フレーム３２、３３の第３挿入穴４５に螺入される第４ビス４７はそれらの厚み方向中央部より後方に位置している。すなわち、組立て状態のケージ枠体１１を折り畳む場合には、各分割フレーム３２、３３の内端面同士や分割フレーム３２、３３と各フレーム２２、２３との間で、分割フレーム３２、３３の回動が規制されることがない。このため、各分割フレーム３２、３３を容易に回動させることができる。
【００４０】
加えて、各分割フレーム３２、３３の外側面同士及びこれらの内側面と各フレーム２２、２３の内側面とが当接するようにコンパクトに折り畳むことができる。
【００４１】
・  上記ケージ枠体１１は各分割フレーム３２、３３をケージ枠体１１内方へ折り曲げる構成になっている。すなわち、ケージ枠体１１内のペット等がケージ枠体に衝突することによって同ケージ枠体１１の各分割フレーム３２、３３がケージ枠体１１外方へ不本意に折り曲げられることが防止される。このため、組立て状態のケージ枠体１１を長期に亘って確実に維持することができる。
【００４２】
・  本実施形態のケージ枠体１１には木製のフレームが使用されている。このため、ケージ枠体１１内のペットが枠体を噛む又は舐める等の行為を行った際にも、ペットの歯等に与える衝撃を軽減することができる。
【００４３】
なお、本実施形態は、次のように変更して具体化することも可能である。
・  上側フレーム体１２及び下側フレーム体１３を構成する第１、第２フレーム２３及び各分割フレーム３２、３３がそれぞれの連結部分において離間している構成を採用してもよい。このように構成した場合、各分割フレーム３２、３３の回動を案内する円弧面３５、４３を設ける必要がなく、製造工程の簡素化を図ることができる。
【００４４】
・  短側部３１を上下それぞれ１本のフレームで構成するとともに、長側部２１の第１、第２フレーム２３を４分割又は６分割し、それぞれの連結部分が第２ジョイント３８を介して連結される構成を採用してもよい。すなわち、長側部２１は上下それぞれ二対又は三対の分割フレーム３２、３３で構成される。なおこのとき、第１、第２フレーム２３及び各分割フレーム３２、３３はそれぞれの連結部分において離間していてもよく、当接していてもよい。
【００４５】
・  組立て状態のケージ枠体１１内に玩具等を入れてもよい。
・  また、ケージ枠体１１を空調装置の室外機及び暖房器具等の保護を目的として使用してもよい。
【００４６】
・  図９に示すように、ケージ枠体１１の各コーナ部において、分割フレーム３２、３３の外端部と第１、第２フレーム２２、２３の外端部（左右両端部）との間の凹凸関係により第１回動部材を構成してもよい。すなわち、各分割フレーム３２、３３の外端面には回動凸部１１１が突設されるとともに、第１、第２フレーム２３の外端部には前記回動凸部１１１が嵌挿される第５収容凹部１１２が形成されている。また、前記回動凸部１１１が第５収容凹部１１２に嵌挿された状態で、第１、第２フレーム２２、２３の外端部及び回動凸部１１１には上下方向に第４挿入穴１１３が設けられ、この第４挿入穴１１３に第５ビス１１４が螺入されることにより各分割フレーム３２、３３と第１、第２フレーム２３とが連結されている。
【００４７】
この場合、第１回動部材は回動凸部１１１、第５収容凹部１１２及び第５ビス１１４によって構成され、各コーナ部においては、分割フレーム３２、３３が第５ビス１１４を回動軸として回動できるようになっている。なおこのとき、各分割フレーム３２、３３の外端部に第５収容凹部１１２を形成するとともに、第１、第２フレーム２３の外端面に回動凸部１１１を突設する構成に変更してもよい。
【００４８】
また、分割フレーム３２、３３同士の連結部分においても、上記と同様に各分割フレーム３２、３３の内端部の間の凹凸関係により第２回動部材を構成してもよい。
【００４９】
さらに、前記実施形態より把握できる技術的思想について以下に記載する。
・  前記相対向する一対のフレームは、それぞれ一対の分割フレームから構成され、各分割フレームはその外側面同士を当接させるとともに、内側面を他の一対のフレームの内側面に当接させた状態で折り畳まれるように構成されている請求項１から請求項５のいずれか一項に記載のケージ枠体。このように構成した場合、よりコンパクトに折り畳むことができる。
【００５０】
【発明の効果】
以上詳述したように、この発明によれば、次のような効果を奏する。
請求項１及び請求項２に記載の発明のケージ枠体によれば、容易かつ迅速に折り畳むことができる。
【００５１】
請求項３に記載の発明のケージ枠体によれば、請求項１又は請求項２に記載の発明の効果に加えて、分割フレームを滑らかに回動させることができる。
請求項４に記載の発明のケージ枠体によれば、請求項３に記載の発明の効果に加えて、取り扱い性の容易化を図ることができる。
【００５２】
請求項５に記載の発明のケージ枠体によれば、各分割フレームを容易に回動させることができる。
【図面の簡単な説明】
【図１】実施形態のケージ枠体の斜視図。
【図２】（ａ）は長側部の正面図、（ｂ）は図２（ａ）の２ｂ−２ｂ線における断面図、（ｃ）は図２（ａ）の２ｃ−２ｃ線における断面図。
【図３】（ａ）は短側部の正面図、（ｂ）は図３（ａ）の３ｂ−３ｂ線における断面図。
【図４】（ａ）は第２ジョイントの平面図、（ｂ）は図４（ａ）の４ｂ−４ｂ線における断面図、（ｃ）は第１ジョイントの平面図、（ｄ）は図４（ｃ）の４ｄ−４ｄ線における断面図。
【図５】（ａ）は第１分割フレーム同士の連結部分を示す部分拡大側断面図、（ｂ）は図５（ａ）の５ｂ−５ｂ線における断面図。
【図６】（ａ）はケージ枠体のコーナ部を示す部分拡大平断面図、（ｂ）は図６（ａ）の６ｂ−６ｂ線における断面図、（ｃ）は図６（ａ）の６ｃ−６ｃ線における断面図。
【図７】ケージ枠体を折り畳む際の作用図。
【図８】折り畳み状態のケージ枠体を示す平面図。
【図９】ケージ枠体のコーナ部における別例の回動部材を示す斜視図。
【符号の説明】
１１…ケージ枠体、１２…上側フレーム体、１３…下側フレーム体、１４…連結フレーム、２４…第１網体、２６…第１凹部としての第１収容凹部、２７…第１挿入穴、３２…第１分割フレーム、３３…第２分割フレーム、３４…第２網体、３５…第１円弧面、３６…第２凹部としての第２収容凹部、３７…第２挿入穴、３８…第２ジョイント、３８ａ…第４円弧面、３９…第２固定部材としての第２ビス、４３…第２円弧面、４４…第１凹部としての第３収容凹部、４５…第３挿入穴、４６…第１ジョイント、４６ａ…第３円弧面、４７…第１固定部材としての第４ビス。
【図１】
2005027556.tif 000003
【図２】
2005027556.tif 000004
【図３】
2005027556.tif 000005
【図４】
2005027556.tif 000006
【図５】
2005027556.tif 000007
【図６】
2005027556.tif 000008
【図７】
2005027556.tif 000009
【図８】
2005027556.tif 000010
【図９】
2005027556.tif 000011